(57)【要約】【課題】  タグの束をチェックアウトコーナーに準備しておくことなくマイバスケットサービスを提供可能とする。【解決手段】  実施形態のレシートプリンタは、プリントデバイス、第１の処理手段及び第２の処理手段を備える。プリントデバイスは、プリント媒体に画像をプリントする。第１の処理手段は、買物客へ商品を譲渡する取引の内容を証するためのレシート画像をプリントデバイスにプリントさせる。第２の処理手段は、容器に入れられた商品が譲渡済みであることを証するために容器に取り付ける証票の画像をプリントデバイスにプリントさせる。【選択図】      図２
2019153069.tif 000002
【特許請求の範囲】
【請求項１】
プリント媒体に画像をプリントするプリントデバイスと、
買物客へ商品を譲渡する取引の内容を証するためのレシート画像を前記プリントデバイスにプリントさせる第１の処理手段と、
容器に入れられた商品が譲渡済みであることを証するために前記容器に取り付ける証票の画像を前記プリントデバイスにプリントさせる第２の処理手段と、
を具備するレシートプリンタ。
【請求項２】
前記第１の処理手段は、前記取引に係る代金を決済するための処理の終了に伴う要求に応じて前記レシート画像を前記プリントデバイスにプリントさせ、
前記第２の処理手段は、前記処理が行われていない期間に前記証票の発行が指示されたことに応じて、前記証票の画像を前記プリントデバイスにプリントさせる、
請求項１に記載のレシートプリンタ。
【請求項３】
プリント媒体に画像をプリントするプリントデバイスとともにレシートプリンタに備えられたコンピュータを、
買物客へ商品を譲渡する取引の内容を証するためのレシート画像を前記プリントデバイスにプリントさせる第１の処理手段と、
容器に入れられた商品が譲渡済みであることを証するために前記容器に取り付ける証票の画像を前記プリントデバイスにプリントさせる第２の処理手段と、
して機能させるための情報処理プログラム。
【請求項４】
プリント媒体に画像をプリントするプリントデバイスと、
買物客へ商品を譲渡する取引の内容を登録する登録手段と、
前記登録手段により登録された取引の内容を証するためのレシート画像を前記プリントデバイスにプリントさせる第１の処理手段と、
容器に入れられた商品が譲渡済みであることを証するために前記容器に取り付ける証票の画像を前記プリントデバイスにプリントさせる第２の処理手段と、
を具備する販売処理装置。
【請求項５】
前記プリントデバイスが前記レシート画像をプリントし終えてから、前記登録手段により前記登録が開始されるまでの間に前記証票を発行することの指示を入力する入力手段、
をさらに備え、
前記第２の処理手段は、前記入力手段により前記指示が入力されたことに応じて、前記証票の画像を前記プリントデバイスにプリントさせる、
請求項４に記載の販売処理装置。
【請求項６】
プリント媒体に画像をプリントするプリントデバイスを備えた販売処理装置を制御するコンピュータを、
買物客へ商品を譲渡する取引の内容を登録する登録手段と、
前記登録手段により登録された取引の内容を証するためのレシート画像を前記プリントデバイスにプリントさせる第１の処理手段と、
容器に入れられた商品が譲渡済みであることを証するために前記容器に取り付ける証票の画像を前記プリントデバイスにプリントさせる第２の処理手段と、
して機能させるための情報処理プログラム。
【発明の詳細な説明】
【技術分野】
【０００１】
本発明の実施形態は、レシートプリンタ、販売処理装置及び情報処理プログラムに関する。
【背景技術】
【０００２】
スーパーマーケット等において、マイバスケットと称されるサービスが提供されている。
このサービスにおいては、ピックアップした商品の店内での持ち運びと、会計後の商品の持ち帰りのいずれにおいても、買物客が所有するカゴが利用される。
このため、カゴに入れられた商品の会計が済んでいるのか否かを確認可能とするために、例えば会計済みであることを表す文字メッセージなどを予め印刷したタグを、会計を完了したときにカゴに貼り付けるようにしている。
タグは、製造業者により製造されて束とされたものがチェックアウトコーナーに用意される。そしてチェックアウトの業務を担当する店員が、上記の束から１枚ずつタグを取り出し、カゴに貼り付けている。
このため、タグの束を保管しておくためのスペースや手間が必要であった。
このような事情から、タグの束をチェックアウトコーナーに準備しておくことなくマイバスケットサービスを提供できることが望まれていた。
【先行技術文献】
【特許文献】
【０００３】
【特許文献１】特開２０１６−９３０３号公報
【発明の概要】
【発明が解決しようとする課題】
【０００４】
本発明が解決しようとする課題は、タグの束をチェックアウトコーナーに準備しておくことなくマイバスケットサービスを提供可能とするレシートプリンタ、販売処理装置及び情報処理プログラムを提供することである。
【課題を解決するための手段】
【０００５】
実施形態のレシートプリンタは、プリントデバイス、第１の処理手段及び第２の処理手段を備える。プリントデバイスは、プリント媒体に画像をプリントする。第１の処理手段は、買物客へ商品を譲渡する取引の内容を証するためのレシート画像をプリントデバイスにプリントさせる。第２の処理手段は、容器に入れられた商品が譲渡済みであることを証するために容器に取り付ける証票の画像をプリントデバイスにプリントさせる。
【図面の簡単な説明】
【０００６】
【図１】第１の実施形態に係るレシートプリンタ１０の要部回路構成を示すブロック図。
【図２】図１中のプロセッサによる情報処理のフローチャート。
【図３】発行されたタグの一例を示す図。
【図４】第２の実施形態に係るＰＯＳ端末の要部回路構成を示すブロック図。
【図５】図４中のプロセッサによる情報処理のフローチャート。
【発明を実施するための形態】
【０００７】
以下、実施の形態について図面を用いて説明する。
（第１の実施形態）
図１は第１の実施形態に係るレシートプリンタ１０の要部回路構成を示すブロック図である。なお図１では、本実施形態の特徴的な構成及び動作の説明に必要な要素を主として示しており、周知の同種の別のレシートプリンタが備える別の要素、あるいはそれ以外の任意の要素を備えていても構わない。
レシートプリンタ１０は、ＰＯＳ端末２０に接続されて使用され、ＰＯＳ端末２０からのプリント要求に応じて紙レシートを発行する。
【０００８】
レシートプリンタ１０は、プロセッサ１１、メインメモリ１２、操作ユニット１３、表示ユニット１４、プリントユニット１５、インタフェースユニット１６及び伝送路１７等を備える。プロセッサ１１、メインメモリ１２、操作ユニット１３、表示ユニット１４、プリントユニット１５及びインタフェースユニット１６は、伝送路１７を介して接続される。
【０００９】
プロセッサ１１及びメインメモリ１２を伝送路１７で接続することによって、レシートプリンタ１０を制御するための情報処理を行うコンピュータを構成する。なお、レシートプリンタ１０は、伝送路１７に接続された補助記憶ユニットをさらに備え、この補助記憶ユニットを補助記憶部分として含んで上記のコンピュータが構成されてもよい。当該補助記憶ユニットとしては、例えばＥＥＰＲＯＭ（electric erasable programmable read-only memory）が用いられる。補助記憶ユニットとしては、ＨＤＤ（hard disc drive）又はＳＳＤ（solid state drive）などを適用することもできる。
【００１０】
プロセッサ１１は、上記コンピュータの中枢部分に相当する。プロセッサ１１は、オペレーティングシステム、ファームウェア及びアプリケーションプログラム等の各種の情報処理プログラムに従って、レシートプリンタ１０としての各種の機能を実現するべく各部を制御する。
【００１１】
メインメモリ１２は、上記コンピュータの主記憶部分に相当する。メインメモリ１２は、不揮発性のメモリ領域と揮発性のメモリ領域とを含む。メインメモリ１２は、不揮発性のメモリ領域では上記の情報処理プログラムを記憶する。またメインメモリ１２は、プロセッサ１１が各部を制御するための処理を実行する上で必要なデータを不揮発性又は揮発性のメモリ領域で記憶する場合もある。メインメモリ１２は、揮発性のメモリ領域を、プロセッサ１１によってデータが適宜書き換えられるワークエリアとして使用する。
【００１２】
操作ユニット１３は、操作者による操作を入力する。操作ユニット１３には、タッチパネル、キーボード、あるいはキースイッチなどの各種の操作デバイスを適宜に含み得る。
表示ユニット１４は、操作者に対して各種の情報を提示するための表示を行う。表示ユニット１４には、タッチパネル、ＬＥＤランプ、あるいは液晶表示パネルなどの各種の表示デバイスを適宜に含み得る。
【００１３】
プリントユニット１５は、プロセッサ１１による指示の下に任意の画像をプリント媒体の一例としてのレシート用紙に対してプリントする。プリントユニット１５には、例えばサーマルプリントデバイスなどのような周知のプリントデバイスを含む。レシート用紙としては例えば、幅が数十センチメートル程度であり、長さが数十メートルに及ぶ細長い紙をロール状に巻いた、いわゆるロール紙が用いられる。そしてプリントユニット１５は、レシート用紙の先端側の一部をロール状に巻かれた部分から切り離すカッタを備える。なお、プリント媒体としては、材質が紙であるものには限られず、例えば樹脂製などの種々のタイプのものを用いることができる。
【００１４】
インタフェースユニット１６には、ＰＯＳ端末２０が例えば通信ケーブルを介して接続される。インタフェースユニット１６は、ＰＯＳ端末２０との間での各種データの送受信を行う。インタフェースユニット１６としては、例えばＵＳＢ（universal serial bus）等の周知の規格に準拠した既製のデバイスを用いることができる。
伝送路１７は、アドレスバス、データバス及び制御信号線等を含み、接続された各部の間で授受されるデータ及び制御信号を伝送する。
【００１５】
次に以上のように構成されたレシートプリンタ１０の動作について説明する。
レシートプリンタ１０が、ＰＯＳ端末２０からの要求に応じてレシート発行を行う動作状態に設定されると、プロセッサ１１はメインメモリ１２に記憶された情報処理プログラムに従って以下に説明する情報処理を実行する。
【００１６】
図２はプロセッサ１１による情報処理のフローチャートである。
Ａｃｔ１としてプロセッサ１１は、ＰＯＳ端末２０が客扱い中であるか否かを確認する。客扱い中とは、買い上げ商品の登録及び買い上げ商品の代金の決済のための処理が行われている状態を表す。そしてプロセッサ１１は、ＰＯＳ端末２０が客扱い中であるならばＹｅｓと判定し、Ａｃｔ２へと進む。
Ａｃｔ２としてプロセッサ１１は、ＰＯＳ端末２０からのプリント要求がなされたか否かを確認する。そしてプロセッサ１１は、ＰＯＳ端末２０からのプリント要求がなされていないならばＮｏと判定し、Ａｃｔ１へと戻る。
かくしてプロセッサ１１は、ＰＯＳ端末２０が客扱い中である期間においては、プリント要求がなされるのを待ち受ける。
【００１７】
ＰＯＳ端末２０は、買い上げ商品の登録及び買い上げ商品の代金の決済のための処理を周知のように行う。そして決済が完了し、紙レシートを発行する必要があるならば、レシートプリンタ１０に対してプリントを要求するとともに、紙レシートにプリントすべき情報を表したレシートデータをレシートプリンタ１０へと送出する。このレシートデータは、レシートに示すべき文字列及び画像を表すテキストデータ及びイメージデータを含む。レシートに示すべき文字列には、店舗名、店舗所在地、店舗電話番号、取引日時、商品名、単価、値引額、合計金額、消費税額、商品点数、決済方法などが含まれ得る。イメージデータが表す画像には、店舗ロゴ、広告などのようなレシート内に含まれる画像が含まれ得る。プリントデータが、どのようなテキストデータ及びイメージデータを含むかは任意である。
【００１８】
プロセッサ１１は、ＰＯＳ端末２０からプリント要求がなされるとＡｃｔ２にてＹｅｓと判定し、Ａｃｔ３へと進む。
Ａｃｔ３としてプロセッサ１１は、ＰＯＳ端末２０から送信されるレシートデータを、インタフェースユニット１６を用いて受信する。プロセッサ１１は、受信したプリントデータをメインメモリ１２に保存しておく。
【００１９】
Ａｃｔ４としてプロセッサ１１は、プリントデータに示される各種の文字列及び画像を含んだレシート画像を表したレシートイメージデータをメインメモリ１２に展開する。かくしてレシート画像は、買物客へ商品を譲渡する取引の内容を証するものである。
【００２０】
Ａｃｔ５としてプロセッサ１１は、プリントユニット１５を動作させ、Ａｃｔ４で展開したレシートイメージデータに基づいてのレシート画像のプリントを行わせる。かくして図２に示す情報処理をプロセッサ１１が実行することによって、プロセッサ１１を中枢部分とするコンピュータは、レシート画像をプリントユニット１５が備えるプリントデバイスにプリントさせる第１の処理手段としての機能を実現する。
【００２１】
Ａｃｔ６としてプロセッサ１１は、プリントユニット１５に対してレシート用紙のカットを指示する。プリントユニット１５は、上記のようにプロセッサ１１からカットが指示されたならば、カッタを動作させてレシート用紙のレシート画像がプリントされた領域を切り離す。これにより、切り離された一枚のレシート用紙にレシート画像をプリントした状態の紙レシートが発行される。
【００２２】
Ａｃｔ７としてプロセッサ１１は、メインメモリ１２に保存してあるプリントデータ及びレシートイメージデータをそれぞれ削除する。そしてプロセッサ１１はこののち、Ａｃｔ１に戻る。
【００２３】
ところでプロセッサ１１は、ＰＯＳ端末２０が客扱い中では無い場合には、Ａｃｔ１にてＮｏと判定し、Ａｃｔ８へと進む。
Ａｃｔ８としてプロセッサ１１は、タグの発行が指示されたか否かを確認する。そしてプロセッサ１１は、当該指示がなされていないならばＮｏと判定し、Ａｃｔ１へと戻る。
かくしてプロセッサ１１は、ＰＯＳ端末２０が客扱い中ではない期間においては、タグ発行の指示がなされるのを待ち受ける。
【００２４】
店員は、マイバスケットサービスの利用者に対して、会計済みであることを証するタグを発行する必要がある場合には、ＰＯＳ端末２０が客扱い中ではない状態において、タグ発行を指示する。当該指示は、例えば操作ユニット１３における予め定められた操作として行われる。当該指示は、ＰＯＳ端末２０が備える操作ユニットにおける予め定められた操作として行われてもよい。例えば、ＰＯＳ端末２０が備えるボタンの１つを、タグ発行の指示用に割り付けておく。そして当該ボタンが操作された場合にＰＯＳ端末２０は、タグ発行が指示されたとしてレシートプリンタ１０に通知する。そしてプロセッサ１１は、タグ発行の指示がなされたならば、Ａｃｔ８にてＹｅｓと判定し、Ａｃｔ９へと進む。
【００２５】
Ａｃｔ９としてプロセッサ１１は、タグに表すべきものとして予め定められた各種の文字列及び画像を含んだタグ画像を表したタグメージデータをメインメモリ１２に展開する。なおタグ画像を具体的にどのような画像とするかは任意であり、例えばレシートプリンタ１０が設置される店舗の担当者により定められる。そしてタグ画像に含める文字列及び画像のデータと、それらのレイアウトを示すデータとは、メインメモリ１２に記憶される。ただしこれらのデータは、ＰＯＳ端末２０に備えられる記憶デバイス又はＰＯＳ端末２０が通信可能なサーバ装置に備えられる記憶デバイス等に記憶されてもよい。
【００２６】
この後にプロセッサ１１は、Ａｃｔ５以降を上記と同様に実行する。ただしプロセッサ１１はこの場合には、Ａｃｔ５としては、上記のタグイメージデータに基づいてのタグ画像のプリントを行わせる。またプロセッサ１１は、Ａｃｔ７としては、タグイメージデータを削除する。
【００２７】
図３は発行されたタグＴＧ１の一例を示す図である。
このタグＴＧ１は、長手方向の長さが、マイバスケットサービスで使用されるカゴの開口の狭い方の幅よりも大きい。そこでタグＴＧ１は、会計が済んだ商品が入れられているカゴに、その開口を跨ぐ状態で貼り付けられる。つまりタグＴＧ１は、容器であるカゴに入れられた商品が譲渡済みであることを証するためにカゴに取り付ける証票である。かくして情報処理プログラムに基づく情報処理をプロセッサ１１が実行することによって、プロセッサ１１を中枢部分とするコンピュータは上記証票の画像であるタグ画像をプリントユニット１５が備えるプリントデバイスにプリントさせる第２の処理手段として機能する。
【００２８】
以上のようにレシートプリンタ１０によれば、マイバスケットサービスで使用されるカゴに貼り付けて、そのカゴに入れられた商品が会計済みであることを、つまり該当の商品が売り渡し済みであることを証するためにカゴに貼り付けるタグを発行できる。これにより、マイバスケットサービスを利用する取引に関する決済が完了し、カゴにタグを貼り付ける必要が生じる毎に当該のタグを発行することができ、製造業者により製造されて束とされたタグを容易、保管しておく必要がない。つまり、タグの束をチェックアウトコーナーに準備しておくことなくマイバスケットサービスを提供可能とすることができる。また店員は、そのようなタグの束から１枚のタグを選り分けて取り出す作業を行う必要もない。
【００２９】
またレシートプリンタ１０によれば、ＰＯＳ端末２０が客扱い中であるときにはタグ発行の指示を待ち受けず、タグの発行も行わない。このため、決済が完了することにより必要となるレシート発行を速やかに実行できる。
【００３０】
（第２の実施形態）
第２の実施形態では、販売処理装置の一例としてのＰＯＳ端末に関して説明する。
図４はＰＯＳ端末の要部回路構成を示すブロック図である。
ＰＯＳ端末３０は、プロセッサ３１、メインメモリ３２、補助記憶ユニット３３、操作ユニット３４、表示ユニット３５、読取ユニット３６、プリントユニット３７、通信インタフェース３８及び伝送路３９等を備える。なお図４では、本実施形態の特徴的な構成及び動作の説明に必要な要素を主として示しており、周知の同種の別のＰＯＳ端末が備える別の要素、あるいはそれ以外の任意の要素を備えていても構わない。
【００３１】
プロセッサ３１、メインメモリ３２及び補助記憶ユニット３３を伝送路３９で接続することによって、ＰＯＳ端末３０を制御するための情報処理を行うコンピュータを構成する。
プロセッサ３１は、上記コンピュータの中枢部分に相当する。プロセッサ３１は、オペレーティングシステム、ミドルウェア及びアプリケーションプログラム等の情報処理プログラムに従って、ＰＯＳ端末３０としての各種の機能を実現するべく各部を制御する。
【００３２】
メインメモリ３２は、上記コンピュータの主記憶部分に相当する。メインメモリ３２は、不揮発性のメモリ領域と揮発性のメモリ領域とを含む。メインメモリ３２は、不揮発性のメモリ領域ではオペレーティングシステム及びアプリケーションプログラムを記憶する。またメインメモリ３２は、プロセッサ３１が各部を制御するための処理を実行する上で必要なデータを不揮発性又は揮発性のメモリ領域で記憶する場合もある。メインメモリ３２は、揮発性のメモリ領域を、プロセッサ３１によってデータが適宜書き換えられるワークエリアとして使用する。
【００３３】
補助記憶ユニット３３は、上記コンピュータの補助記憶部分に相当する。補助記憶ユニット３３は、例えばＥＥＰＲＯＭである。補助記憶ユニット３３としては、ＨＤＤ、ＳＳＤ、あるいはその他の周知の各種の記憶デバイスを利用することもできる。補助記憶ユニット３３は、プロセッサ３１が各種の処理を行う上で使用するデータと、プロセッサ３１での処理によって生成されたデータとを保存する。補助記憶ユニット３３は、上記の情報処理プログラムの一部を記憶する場合もある。
【００３４】
操作ユニット３４、表示ユニット３５及びプリントユニット３７の機能の概略は、第１の実施形態における操作ユニット１３、表示ユニット１４及びプリントユニット１５と同等であるので、その説明は省略する。
【００３５】
読取ユニット３６は、記録媒体に記憶又は表示されたデータを読み取る。読取ユニット３６には、バーコードスキャナ、磁気カードリーダ、ＲＦＩＤ（radio frequency identifier）リーダ、あるいはＮＦＣ（near field communication）リーダなどの周知の読取デバイスを適宜に含み得る。
【００３６】
通信インタフェース３８は、通信ネットワーク４０を介したデータ通信を行う。通信インタフェース３８としては、例えばＬＡＮ（local area network）を介したデータ通信のための周知の処理を行うように構成された周知のものを用いることができる。通信インタフェース３８によるデータ通信の相手は、ＰＯＳサーバなどである。
伝送路３９は、アドレスバス、データバス及び制御信号線等を含み、接続されている各部の間で授受されるデータや制御信号を伝送する。
【００３７】
次に以上のように構成されたＰＯＳ端末３０の動作について説明する。
ＰＯＳ端末３０が商品販売に対応するための動作状態に設定されると、プロセッサ３１はメインメモリ３２又は補助記憶ユニット３３に記憶された情報処理プログラムに従って以下に説明する情報処理を実行する。
【００３８】
図５はプロセッサ３１による情報処理のフローチャートである。なお、図５における図２と同様な動作については、同一の符号を付し、その詳細な説明は省略する。
Ａｃｔ１１としてプロセッサ３１は、買い上げ対象として登楼する商品の指定がなされたか否かを確認する。そしてプロセッサ３１は当該指定がなされていなければ、Ｎｏと判定してＡｃｔ１２へと進む。
Ａｃｔ１２としてプロセッサ３１は、タグの発行が指示されたか否かを確認する。そしてプロセッサ１１は、当該指示がなされていないならばＮｏと判定し、Ａｃｔ１１へと戻る。
かくしてプロセッサ１１は、商品の指定がなされるか、タグ発行の指示がなされるのを待ち受ける。
【００３９】
店員は、買物客が、買い上げようとする商品を運んでくると、当該商品を買い上げ対象として指定する操作を行う。当該操作は例えば、読取ユニット３６に含まれたハンディスキャナを、商品に表示されたバーコードに近接させるなどの周知の操作である。このような操作がなされるとＡｃｔ１１にてＹｅｓと判定し、Ａｃｔ１３へと進む。
【００４０】
Ａｃｔ１３としてプロセッサ３１は、登録処理を実行する。登録処理は、上記のように指定された商品を買上商品として登録するとともに、その後の店員による指示に応じて、必要に応じて他の商品を買上商品として登録し、買上商品のリストを作成する処理である。この登録処理は、既存の同種の別のＰＯＳ端末において行われているのと同様な処理であって構わない。そしてプロセッサ３１は、店員による会計処理への移行指示などを受けて登録処理を終了し、Ａｃｔ１４へと進む。
【００４１】
Ａｃｔ１４としてプロセッサ３１は、会計処理を実行する。会計処理は、上記のリストに含まれた買上商品の代金を算出するとともに、当該代金を決済する処理である。この会計処理は、既存の同種の別のＰＯＳ端末において行われているのと同様な処理であって構わない。そしてプロセッサ３１は、決済が完了したならばＡｃｔ４へと進み、以後、Ａｃｔ４−Ａｃｔ７を第１の実施形態と同様に実行する。つまりプロセッサ３１は、登録処理で登録された取引の内容及び会計処理での会計結果などを表した紙レシートをプリントユニット３７に発行させる。なおプロセッサ３１は、Ａｃｔ７を終えるとＡｃｔ１１及びＡｃｔ１２の待ち受け状態に戻る。この場合にプロセッサ３１は、プリントユニット３７によるレシート画像の印刷の終了後、新たに商品の指定がなされるまでの間に、タグの発行指示を受け付けることになる。
【００４２】
店員は、マイバスケットサービスの利用者に対してタグを発行する必要がある場合には、ＰＯＳ端末２０がＡｃｔ１１及びＡｃｔ１２の待ち受け状態にあるときに、タグ発行を指示する。当該指示は、例えば操作ユニット３４が備えるボタンの１つとして予め定められたタグ発行の指示用のボタンを店員が操作することにより行われる。そしてプロセッサ３１は、タグ発行の指示がなされたならば、Ａｃｔ１２にてＹｅｓと判定し、Ａｃｔ９以降を第１の実施形態と同様に行う。つまりプロセッサ３１は、タグをプリントユニット３７に発行させる。
【００４３】
以上のようにＰＯＳ端末３０によれば、第１の実施形態と同様にタグを発行でき、タグの束をチェックアウトコーナーに準備しておくことなくマイバスケットサービスを提供可能とすることができる。
【００４４】
またＰＯＳ端末３０によれば、紙レシートを発光して一取引に関する処理を終えた後、新たな取引に関する最初の商品の指定がなされるまでの間に限ってタグの発光指示を受け付ける。このため、決済が完了することにより必要となるレシート発行を速やかに実行できる。
【００４５】
この実施形態は、次のような種々の変形実施が可能である。
レシートプリンタ１０は、ＰＯＳ端末２０に代えて、電子キャッシュレジスタなどに接続して用いられてもよい。
【００４６】
第２の実施形態は、電子キャッシュレジスタなどのＰＯＳ端末とは異なるタイプの販売処理装置においても実施が可能である。
【００４７】
第１の実施形態では客扱い中にも、また第２の実施形態では登録処理又は会計処理を行っているときにも、タグの発行指示を受け付けてもよい。
【００４８】
図２又は図５に示す情報処理を表した情報処理プログラムは、レシートプリンタ１０のハードウェア又はＰＯＳ端末３０のハードウェアの譲渡の際にメインメモリ１２又は、メインメモリ３２及び補助記憶ユニット３３のいずれかに記憶されていてもよいし、上記のハードウェアとは別に譲渡されてもよい。後者の場合、当該の情報処理プログラムは、磁気ディスク、光磁気ディスク、光ディスク、半導体メモリなどのようなリムーバブルな記録媒体に記録して、あるいはネットワークを介して譲渡される。後者の場合、情報処理プログラムはバージョンアッププログラムとして提供されてメインメモリ１２又は、メインメモリ３２及び補助記憶ユニット３３のいずれかに書き込まれて、メインメモリ１２又は、メインメモリ３２及び補助記憶ユニット３３のいずれかに既に記憶されている同種の別の情報処理プログラムに置き換えて使用されるケースが想定される。
【００４９】
情報処理によりプロセッサ１１が実現する各機能は、その一部又は全てをロジック回路などのような情報処理プログラムに基づかない情報処理を実行するハードウェアにより実現することも可能である。また上記の各機能のそれぞれは、上記のロジック回路などのハードウェアにソフトウェア制御を組み合わせて実現することも可能である。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０…レシートプリンタ、１１，３１…プロセッサ、１２，３２…メインメモリ、１３，３４…操作ユニット、１４，３５…表示ユニット、１５，３７…プリントユニット、１６…インタフェースユニット、１７，３９…伝送路、３６…読取ユニット、３８…通信インタフェース、２０…ＰＯＳ端末、３０…ＰＯＳ端末。
【図１】
2019153069.tif 000003
【図２】
2019153069.tif 000004
【図３】
2019153069.tif 000005
【図４】
2019153069.tif 000006
【図５】
2019153069.tif 000007